(57)【特許請求の範囲】
【請求項１】
外周面の一部に外側セレーションを、先端に係止フランジを夫々形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板と、フォークアームに関してブラケットと反対側におけるブラケット軸に嵌着され、フランジを有するカム板固定カラーと、中心を見込む角度が劣角の切欠を有し、弾性材質で環状のスペーサと、このスペーサの外周面に一体に結合された柄とを有し、カム板をフォークアームのスリットに挿入し、支承孔と装着孔とを整合させた状態で、これら及びカム板固定カラーをブラケット軸の軸線方向に摺動可能に案内すると共に、上記スペーサをブラケット軸に嵌着できるようにブラケットと係止フランジとの距離を設定し、手で柄を強く引張ってスペーサをブラケット軸から引離すことによりカム板とブラケット軸の外側セレーションとの係合を解き、この状態でブラケット軸に対するカム板の相対角度位置を設定し、一方、柄を手に持ってスペーサをブラケットとフォークアームとの間、及びカム板固定カラーと係止フランジの何れか一方に嵌着したとき、カム板の内側セレーションとブラケット軸の外側セレーションとがブラケット軸の軸線方向において整合するようにして、ブラケット軸に対するカム板の相対角度位置を固定するようにしたことを特徴とするドアクローザの停止角度調整機構。
【請求項２】
外周面の一部に外側セレーションを、先端に係止フランジを夫々形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板と、中心を見込む角度が劣角の切欠を有し、弾性材質で環状のスペーサと、このスペーサの外周面に一体に結合された柄とを有し、カム板をフォークアームのスリットに挿入し、支承孔と装着孔とを整合させた状態で、これら及びカム板固定カラーをブラケット軸の軸線方向に摺動可能に案内すると共に、上記スペーサをブラケット軸に嵌着できるようにブラケットと係止フランジとの距離を設定し、手で柄を強く引張ってスペーサをブラケット軸から引離すことによりカム板とブラケット軸の外側セレーションとの係合を解き、この状態でブラケット軸に対するカム板の相対角度位置を設定し、一方、柄を手に持ってスペーサをブラケットとフォークアームとの間、及びカム板固定カラーと係止フランジの何れか一方に嵌着したとき、カム板の内側セレーションとブラケット軸の外側セレーションとがブラケット軸の軸線方向において整合するようにして、ブラケット軸に対するカム板の相対角度位置を固定するようにしたことを特徴とするドアクローザの停止角度調整機構。
【発明の詳細な説明】
【０００１】
【発明の属する技術分野】
この発明は、ドアクローザの停止角度調整機構（以下単に停止角度調整機構という）に係り、特に、ドライバ等の工具を使用せずに簡単にドアクローザの停止角度を調整することができる停止角度調整機構に関する。
【０００２】
【従来の技術】
ドアクローザの停止装置、すなわち、閉鎖運動中のドアクローザを一時的に停止させる装置は、例えば荷物を室内に搬入するとき、ドアを手で押えておかなくてもよいので便利である。
【０００３】
このドアクローザの停止装置は種々のものが提案されているが、簡単な構造で作動が確実なものとして、ドアクローザのリンク機構に組込まれたものがある。
【０００４】
この停止装置は、図１に示すように、ブラケット１を介して通常は図示しないドア枠に固定されるブラケット軸２に装着され、後述のクリックボールと係合する凹部３を形成したカム板４と、上記ブラケット軸２に回動可能に支承されるフォークアーム５の筒状に形成された基部Ａに収納され、ブラケット軸２方向に付勢された図示しないクリックボール等のクリック体とを有している。
【０００５】
そして、ドアクローザが閉鎖方向に作動し、ブラケット軸２に固定されたカム板４に対し、フォークアーム５がブラケット軸２の回りを相対的に回動してその基部Ａに内蔵されたクリックボールがカム板の凹部３と整合すると、クリックボールが凹部３に填り込んでドアクローザの閉鎖力に対抗してこれを停止させる。
【０００６】
この型式の停止装置は、図２に示すように、その停止角度位置調整機構を内蔵することができる。
【０００７】
すなわち、図２において符号６はブラケット１に固定されたブラケット軸２の基部において、その母線方向に形成された外側セレーションで、この外側セレーション６は、カム板４の装着孔７の開口端縁に形成された内側セレーション８と噛み合うことができる。
【０００８】
そして、上記のように形成されたカム板４は、フォークアーム５の基端に形成されたスリット９に水平方向に挿入され、その装着孔７をフォークアームの回動軸と同軸に整合した後、ブラケット軸２をフォークアーム５の基端の支承孔１１に挿入して内側及び外側セレーション８、６を適当な相対角度位置で噛み合わせる。
【０００９】
なお、上記のように構成された停止角度調整機構は、カラー１２、１２、支持盤１３及びカバー１４と共に止めねじ１５で一体的に結合される。
【００１０】
その為、止めねじ１５を緩めれば各構成部材は図２で上下方向に相対移動可能になるので、カム板４の内側セレーション８とブラケット軸の外側セレーション６との噛み合い係合を解くことができ、従ってこれらの相対角度位置を調整した後止めねじ１５を再度締結することにより停止角度の調整ができる。
【００１１】
【発明が解決しようとする課題】
上記のように構成され、図２に示すような停止角度調整機構は勿論所期の機能を発揮して実用されているが、角度調整の度毎にドライバー等の工具で止めねじ１５を緩める必要があり、その場で思いついての任意の停止角度調整ができない、という恨みが残る。
【００１２】
この発明は、ドライバー等の工具を必要とせず、手指で簡単に、かつ何時でもドアクローザの停止角度を調整できる停止角度調整機構を提供することを目的としている。
【００１３】
【課題を解決するための手段】
上記の目的を達成するため、請求項１に記載の発明は、外周面の一部に外側セレーションを、先端に係止フランジを夫々形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板と、フォークアームに関してブラケットと反対側におけるブラケット軸に嵌着され、フランジを有するカム板固定カラーと、中心を見込む角度が劣角の切欠を有し、弾性材質で環状のスペーサと、このスペーサの外周面に一体に結合された柄とを有し、カム板をフォークアームのスリットに挿入し、支承孔と装着孔とを整合させた状態で、これら及びカム板固定カラーをブラケット軸の軸線方向に摺動可能に案内すると共に、上記スペーサをブラケット軸に嵌着できるようにブラケットと係止フランジとの距離を設定し、手で柄を強く引張ってスペーサをブラケット軸から引離すことによりカム板とブラケット軸の外側セレーションとの係合を解き、この状態でブラケット軸に対するカム板の相対角度位置を設定し、一方、柄を手に持ってスペーサをブラケットとフォークアームとの間、及びカム板固定カラーと係止フランジの何れか一方に嵌着したとき、カム板の内側セレーションとブラケット軸の外側セレーションとがブラケット軸の軸線方向において整合するようにして、ブラケット軸に対するカム板の相対角度位置を固定するようにしたことを特徴とする。
【００１４】
また、請求項２に記載の発明は、外周面の一部に外側セレーションを、先端に係止フランジを夫々形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板と、中心を見込む角度が劣角の切欠を有し、弾性材質で環状のスペーサと、このスペーサの外周面に一体に結合された柄とを有し、カム板をフォークアームのスリットに挿入し、支承孔と装着孔とを整合させた状態で、これら及びカム板固定カラーをブラケット軸の軸線方向に摺動可能に案内すると共に、上記スペーサをブラケット軸に嵌着できるようにブラケットと係止フランジとの距離を設定し、手で柄を強く引張ってスペーサをブラケット軸から引離すことによりカム板とブラケット軸の外側セレーションとの係合を解き、この状態でブラケット軸に対するカム板の相対角度位置を設定し、一方、柄を手に持ってスペーサをブラケットとフォークアームとの間、及びカム板固定カラーと係止フランジの何れか一方に嵌着したとき、カム板の内側セレーションとブラケット軸の外側セレーションとがブラケット軸の軸線方向において整合するように  して、ブラケット軸に対するカム板の相対角度位置を固定するようにしたことを特徴とする。
【００１５】
【発明の実施の形態】
以下この発明の実施例を図３乃至図７を参照して説明する。
図３及び図４において符号１は前記ブラケットを示し、このブラケット１の下面には、例えば溶接によりブラケット軸２が固設されている。
【００１６】
このブラケット軸２の外周面のほぼ中間部に外側ブラケット６が形成されている。このセレーションはブラケット軸２の母線方向に延在する多数の突条を円周方向に連設したものである。
【００１７】
上記ブラケット軸２には、カム板４とフォークアーム５の基端とが、前者が後者のスリット９内に挿入され、かつ前者の装着孔７（図２参照）及び後者の支承孔１１（図３参照）を整合させた状態で、回動可能に、また摺動可能に嵌合している。
【００１８】
なお、図示の実施例においては、フォークアームの支承孔１１とブラケット軸２との間の摩擦トルクを減少させるため、ブラケット１と外側セレーション６との間におけるブラケット軸２に上部カラー１０が嵌装されているが、この上部カラー１０は本発明の必須の構成要素ではない。
【００１９】
一方、フォークアーム５に関してブラケット１と反対側（すなわち下方）におけるブラケット軸２には、図３及び図４に示すように、フランジを有する短筒状のカム板固定カラー１６が摺動可能に嵌装されている。
【００２０】
なお、図示の実施例においては、このカム板固定カラー１６とブラケット軸２との間の摩擦トルクを減少させるため、ブラケット軸２の下方に下部カラー１７が嵌装されているが、この下部カラー１７は本発明の必須の構成要素ではない。
【００２１】
一方、この発明の特徴的な構成として、スペーサ１８がブラケット軸２に対し着脱可能に嵌着されている。
【００２２】
このスペーサ１８は、図５及び図６に示すように、中心を見込む角度が劣角（９０度以上１８０度以下の角度）の切欠１９を有する環状の弾性材質の部材で、図示の実施例においては取扱を容易にするため柄２１が一体に結合されている。
【００２３】
このスペーサ１８の自然状態における内径は、例えば下部カラー１７（図３及び図４参照）の外径程度に設定する。
【００２４】
また、このスペーサ１８をブラケット軸２に嵌着できるようにするため、ブラケット軸２の先端（図３及び図４で下端）に結合された係止フランジ２２とブラケット１の間の間隔は、フォークアーム５とカム板固定カラー１６の厚さの和とスペーサ１８の厚さＴ（図６参照）の和より大きくなるように設定されている。
【００２５】
また、図４に示すように、このスペーサ１８を係止フランジ２２とカム板固定カラー１６との間に嵌着したとき、カム板４の内側セレーション８とブラケット軸２の外側セレーション６とがブラケット軸の軸線方向において整合するように各部の寸法が設定されている。
【００２６】
上記のように構成された請求項１に記載の発明の一実施例による停止角度調整機構は、常態、すなわちドアクローザの使用状態においては、図４に示すように、スペーサ１８がカム板固定カラー１６と係止フランジとの間におけるブラケット軸６に嵌着されている。
【００２７】
上記したようにスペーサ１８の切欠１９はその中心を見込む角度が劣角になるように設計されているから、換言すればスペーサ１８は下部カラー１７の半周以上を掴持しているから、スペーサ１８をブラケット軸２から引き離すにはスペーサ１８が拡開する方向に弾性変形させる必要があり、このためスペーサ１８のブラケット軸２に対する装着は確実に行われる。
【００２８】
このとき、上記したように、ブラケット軸の外側セレーション６とカム板の内側セレーション８とがブラケト軸２の軸線方向において整合して相互に噛み合う。
【００２９】
したがって、カム板４はブラケット軸２回りの回動が拘束され、すなわちカム板４はブラケット軸２に固定された状態になるので、前記したように、フォークアーム５がブラケット軸２に対し所定の角度相対回動すると、フォークアーム５に内蔵された図示しないクリック体がカム板４の凹部３に填り込むので、ドアクローザはその回動角度で停止する。
【００３０】
なお、扉を強い力で閉鎖方向に押動すると、クリック体が凹部３を乗り越えてこれらの係合を解くので、以降ドアは閉鎖方向に回動する。
【００３１】
ドアの停止角度を変えるには、ブラケット軸２に対するカム板の凹部３の相対角度位置を変化させる。
【００３２】
そのためには、柄２１を強く引張ってスペーサ１８をブラケット軸２から引き離し、これを今度はブラケット１とフォークアーム５との間におけるブラケット軸２に嵌着する。
【００３３】
このとき、図示の実施例ではスペーサ１８の環状部は下部カラー１７より大径の上部カラー１０を掴持するようにブラケット軸２に嵌着されるが、前記したようにスペーサ１８は例えば合成樹脂等の弾性材料で構成されているので、環状部はその弾性により拡開して確りとブラケット軸２に装着される（図７参照）。
【００３４】
すると、図３に示すように、ブラケット軸の外側セレーション６とカム板の内側セレーション８との係合が解け、カム板４が自由になるので、カム板４を所定の角度時計方向或いは反時計方向に回動させてブラケット軸２に対するカム板４の相対角度位置を再設定する。
【００３５】
カム板４の角度位置を再設定したら、図４に示すように、スペーサ１８をカム板固定カラー１６と係止フランジ２２との間におけるブラケット軸２に嵌め直す。
【００３６】
このとき外側セレーション６と内側セレーションとが新たな相対角度位置を保って再び噛み合い、新たな停止角度がこのようにして設定される。
【００３７】
なお、図示の実施例では、回動を円滑にするため、フォークアーム５と係止フランジ２２との間にカム板固定カラー１６を介在させているが、これを省略しても（図示せず）この発明は成立する。
【００３８】
また、図示の実施例では、ドアの停止角度を変える際ブラケット１とフォークアーム５との間にスペーサ１８を挿入するものとしたが（図３参照）、必ずしもスペーサ１８をブラケット軸２に嵌着する必要はなく、両手の一方でフォークアーム５を係止フランジ２２側に寄せ、他方の手でカム板４の角度位置を調整するようにしてもよいことは勿論である。
【００３９】
【発明の効果】
以上の説明から明らかなように、この発明は、ブラケット軸に装着されたフォーアーム及びカム板をブラケット軸に沿って上下に移動させ、カム板の内側セレーション及びブラケット軸の外側セレーションを係脱できるようにし、かつ内側及び外側セレーションが係合した状態をスペーサにより安定に固定できるようにしたので、ドアクローザの停止角度位置を工具無しで任意に調整できる、という所期の目的を達成する。
【図面の簡単な説明】
【図１】停止装置を備えた従来のドアクローザのリンク機構の外観斜視図。
【図２】その停止角度調整機構の構成部材を展開して示す外観斜視図。
【図３】請求項１に記載の発明の一実施例による停止角度調整機構の拡大断面図で、停止角度変更時の状態を示す。
【図４】請求項１に記載の発明の一実施例による停止角度調整機構の拡大断面図で、ドアクローザ作動時の常態を示す。
【図５】スペーサの平面図。
【図６】スペーサの側面図。
【図７】図５と同様のスペーサの平面図で、ブラケット軸の大径部に嵌着されて拡開した状態を示す。
【符号の説明】
１  ブラケット
２  ブラケット軸
３  凹部
４  カム板
５  フォークアーム
６  外側セレーション
７  装着孔
８  内側セレーション
９  スリット
１０  上部カラー
１１  支承孔
１６  カム板固定カラー
１８  スペーサ
１９  切欠
２１  柄
２２  係止フランジ
【図１】
0003971029.tif 000002
【図２】
0003971029.tif 000003
【図３】
0003971029.tif 000004
【図４】
0003971029.tif 000005
【図５】
0003971029.tif 000006
【図６】
0003971029.tif 000007
【図７】
0003971029.tif 000008